(57)【要約】【課題】  患者が自分自身で手の届きにくい身体患部に容易かつ確実に湿布を貼付することができる湿布貼り具を提供する。【解決手段】  基端３に握り部４を有すると共に第１挾持板部１を一体に有する本体５と、本体５の第１挾持板部１に対して揺動開閉自在として基端３側が本体５に枢着Ｊされると共に引抜抵抗面６を有する第２挾持板部２と、を具備する。さらに、第１挾持板部１の先端15を、閉状態の第２挾持板部２の先端16よりも先端方向へ延設すると共に第２挾持板部２の外面17の延長平面Ｅに交叉する方向に弯曲させて、湿布を身体患部へ押付ける際の押さえ部18に形成する。【選択図】  図４
2005074189.tif 000002
【特許請求の範囲】
【請求項１】
基端（３）に握り部（４）を有すると共に第１挾持板部（１）を一体に有する本体（５）と、該本体（５）の上記第１挾持板部（１）に対して揺動開閉自在として上記基端（３）側が上記本体（５）に枢着（Ｊ）されると共に引抜抵抗面（６）を有する第２挾持板部（２）と、を具備し、さらに、上記第１挾持板部（１）の先端（15）を、閉状態の上記第２挾持板部（２）の先端（16）よりも先端方向へ延設すると共に上記第２挾持板部（２）の外面（17）の延長平面（Ｅ）に交叉する方向に弯曲させて、湿布（Ａ）を身体患部（Ｘ）へ押付ける際の押さえ部（18）に形成したことを特徴とする湿布貼り具。
【請求項２】
第１挾持板部（１）と第２挾持板部（２）を、閉状態に保つマグネット（11）と磁性材（12）から成るマグネット吸着手段（Ｍ）を有する請求項１記載の湿布貼り具。
【請求項３】
引抜抵抗面（６）を、多数のループ状突出子（７）を有する面状ファスナー（８）の一面（９）をもって構成した請求項１又は２記載の湿布貼り具。
【請求項４】
第１挾持板部（１）と、第２挾持板部（２）とを閉じた閉状態に於て、上記第２挾持板部（２）の引抜抵抗面（６）と上記第１挾持板部（１）との間隙寸法（Ｇ）を、上記引抜抵抗面（６）の先端縁（６ａ）の対応部位を第１間隙寸法（Ｇ1 ）とし、上記引抜抵抗面（６）の中間面部（６ｂ）及び基端縁（６ｃ）の対応部位を第２間隙寸法（Ｇ2 ）とすると、Ｇ1 ＜Ｇ2 に設定して、相違させた請求項１，２又は３記載の湿布貼り具。
【発明の詳細な説明】
【技術分野】
【０００１】
本発明は、湿布貼り具に関する。
【背景技術】
【０００２】
一般に、打撲、筋肉痛、筋肉疲労、腰痛、肩凝り等の症状を緩和するために、その身体患部に湿布を貼付する。
しかし、身体患部が背中、肩、腰等のような手の届きにくい部分である場合、患者は自分自身で身体患部に湿布を貼付するのが難しく、湿布がよれたり折れ曲がったりして、粘着湿布層面どうしがくっついたり皺が寄ってしまう虞れがあった。
【発明の開示】
【発明が解決しようとする課題】
【０００３】
解決しようとする問題点は、患者が自分自身で手の届きにくい身体患部に湿布を貼付するのが難しいという点である。
【課題を解決するための手段】
【０００４】
上述の目的を達成するために、本発明に係る湿布貼り具は、基端に握り部を有すると共に第１挾持板部を一体に有する本体と、該本体の上記第１挾持板部に対して揺動開閉自在として上記基端側が上記本体に枢着されると共に引抜抵抗面を有する第２挾持板部と、を具備し、さらに、上記第１挾持板部の先端を、閉状態の上記第２挾持板部の先端よりも先端方向へ延設すると共に上記第２挾持板部の外面の延長平面に交叉する方向に弯曲させて、湿布を身体患部へ押付ける際の押さえ部に形成したものである。
【０００５】
また、第１挾持板部と第２挾持板部を、閉状態に保つマグネットと磁性材から成るマグネット吸着手段を有するものである。また、引抜抵抗面を、多数のループ状突出子を有する面状ファスナーの一面をもって構成したものである。また、第１挾持板部と、第２挾持板部とを閉じた閉状態に於て、上記第２挾持板部の引抜抵抗面と上記第１挾持板部との間隙寸法を、上記引抜抵抗面の先端縁の対応部位を第１間隙寸法Ｇ1 とし、上記引抜抵抗面の中間面部及び基端縁の対応部位を第２間隙寸法Ｇ2 とすると、Ｇ1 ＜Ｇ2 に設定して、相違させたものである。
【発明の効果】
【０００６】
本発明の湿布貼り具によれば、患者が自分自身で手の届きにくい患部に容易かつ確実に湿布を貼付することができる。
【発明を実施するための最良の形態】
【０００７】
図１は、本発明に係る湿布貼り具Ｓの使用状態を示す。この湿布貼り具Ｓは、患者Ｃが、湿布Ａを、背中、肩、腰等の自分自身では手の届きにくい身体患部Ｘに容易かつ確実に貼付するものである。
【０００８】
図２・図３に示すように、湿布貼り具Ｓは、基端３に握り部４を有すると共に第１挾持板部１を一体に有するプラスチック製または木製の本体５と、本体５の第１挾持板部１に対して揺動開閉自在として基端３側が本体５に枢着Ｊされると共に引抜抵抗面６を有する第２挾持板部２と、を具備する。
【０００９】
引抜抵抗面６は、多数のループ状突出子７（図４・図５参照）を有する面状ファスナー８の一面９をもって構成される。言い換えると、面状ファスナー８は、一般に、多数のループ状突出子のある一面と、Ｊ字状やきのこ状の多数の突出子のある他面とから構成されているが、本発明では前者の一面９にて形成したものを用いる。そして、多数のループ状突出子７のループ部先端７ａが接する面（仮想面）10を、引抜抵抗面６とする。ループ状突出子７は、例えば、ナイロン製の閉じた輪状の突出糸から成る。
【００１０】
握り部４の幅Ｂは、50mm≦Ｂ≦80mmに設定されている。幅Ｂがこの範囲にある場合、湿布Ａ（図１参照）を貼付する時に、手首Ｌの水平度が決まるので安定した持ち方ができ、背中や腰等の見えない身体患部Ｘにも容易に湿布Ａを貼付することができる。幅Ｂが、Ｂ＜50mmの場合、湿布貼り具Ｓを持ったときに不安定になり、湿布Ａを身体患部Ｘの位置に貼付しにくくなる。また、幅Ｂが、80mm＜Ｂの場合、湿布貼り具Ｓを取り扱いにくく、従って、湿布Ａを身体患部Ｘに貼付しにくい。
【００１１】
湿布貼り具Ｓは、第１挾持板部１と第２挾持板部２を、閉状態に保つマグネット11と磁性材12から成るマグネット吸着手段Ｍを有する。具体的には、第１挾持板部１が上下に磁性材12，12を有し、第２挾持板部２がこれらの磁性材12，12に対応する位置にマグネット11，11を有する。なお、第１挾持板部１が上下にマグネット11，11を有し、第２挾持板部２がこれらのマグネット11，11に対応する位置に磁性材12，12を有するも良い。
【００１２】
13は湿布Ａが折曲がり状態になったときに湿布貼り具Ｓに貼着するのを防止する貼着防止片を示す。貼着防止片13は、面状ファスナー20から成り、湿布Ａの自由状態の部分がふらふらとして折曲がり状態になり引っつくのを防止する（すなわち、引っつく力を弱める）ための穴部14を有する。
【００１３】
図４・図５に示すように、第１挾持板部１の先端15は、閉状態の第２挾持板部２の先端16よりも先端方向へ延設されると共に第２挾持板部２の外面17の延長平面Ｅに交叉する方向に弯曲して、湿布Ａ（図６〜図11参照）を身体患部Ｘへ押付ける際の押さえ部18に形成されている。
【００１４】
押さえ部18は、第２挾持板部２の外面17の延長平面Ｅに関して、第１挾持板部１と反対側に位置している。押さえ部18の内面19と延長平面Ｅの距離Ｄは、５mm≦Ｄに設定される。この場合、湿布Ａ（図６〜図11参照）を身体患部Ｘへ押付ける際に、押さえ部18にて容易かつ確実に湿布Ａを押さえることができる。Ｄ＜５mmの場合、第２挾持板部２が身体患部Ｘに当接して、押さえ部18が身体患部Ｘから離間し、湿布Ａを押さえることができず、従って、湿布Ａを身体患部Ｘに貼付することができない虞れがある。
【００１５】
本体５の基端３は、第２挾持板部２の外面17の延長平面Ｅに交叉する方向に傾斜している。手首Ｌ（図１参照）を曲げる角度が小さくて済むので、容易に湿布Ａを身体患部Ｘに貼付することができる。
【００１６】
第１挾持板部１と、第２挾持板部２とを閉じた閉状態に於て、第２挾持板部２の引抜抵抗面６と第１挾持板部１との間隙寸法Ｇは、引抜抵抗面６の先端縁６ａの対応部位を第１間隙寸法Ｇ1 とし、引抜抵抗面６の中間面部６ｂ及び基端縁６ｃの対応部位を第２間隙寸法Ｇ2 とすると、Ｇ1 ＜Ｇ2 に設定され、相違している。Ｇ1 ≧Ｇ2 の場合、引抜抵抗が大きいので、スムーズに湿布Ａを身体患部Ｘに貼付することができない。
【００１７】
湿布Ａの厚さをＴ（図８参照）とし、面状ファスナー８の厚さをＨとすると、数式(1) かつ数式(2) が成立する。なお、湿布Ａの厚さＴは、一般に 0.8mm≦Ｔ≦２mmに設定されている。
（Ｔ＋１mm）≦（Ｈ＋Ｇ1 ）≦（Ｔ＋３mm）      ……(1) 
（Ｔ− 0.5mm）≦Ｇ1 ＜Ｔ                      ……(2) 
【００１８】
数式(1) かつ数式(2) が成立するように、面状ファスナー８の厚さＨ、及び、本体５と第２挾持板部本体21との距離（Ｈ＋Ｇ1 ）が設定される場合、湿布Ａの引抜抵抗が適度な大きさとなる。Ｇ1 ＜（Ｔ− 0.5mm）の場合、第１挾持板部１と第２挾持板部２にて湿布Ａを強く挾持しすぎるので、湿布Ａを身体患部Ｘに貼付するときに湿布Ａに与える引抜抵抗が大きく、スムーズに湿布Ａを身体患部Ｘに貼付することができない。また、Ｔ≦Ｇ1 の場合、湿布Ａに与える引抜抵抗が小さくなり過ぎて、湿布Ａを挾持することができず、湿布Ａが第１挾持板部１と第２挾持板部２の間から抜け落ちる虞れがある。
【００１９】
（Ｈ＋Ｇ1 ）＜（Ｔ＋１mm）の場合、湿布Ａに与える引抜抵抗が小さくなり過ぎて、湿布Ａを挾持することができず、湿布Ａが第１挾持板部１と第２挾持板部２の間から抜け落ちる虞れがある。また、（Ｔ＋３mm）＜（Ｈ＋Ｇ1 ）の場合、第１挾持板部１と第２挾持板部２にて湿布Ａを強く挾持しすぎるので、湿布Ａを身体患部Ｘに貼付するときに湿布Ａに与える引抜抵抗が大きく、スムーズに湿布Ａを身体患部Ｘに貼付することができない。
【００２０】
次に、上述の湿布貼り具Ｓの使用方法について説明する。
まず、図６に示すように、一般に湿布Ａに貼着されているフィルムＦを約７割ほど剥離するとともに、第１挾持板部１と第２挾持板部２との開状態に於て、湿布Ａを第１挾持板部１の内面１ａ側に載置する。Ａ1 は粘着湿布層を示す。
【００２１】
その後、図７に示すように、第１挾持板部１と第２挾持板部２とを閉状態とする。このとき、マグネット11と磁性材12（図６参照）とが吸着して、第１挾持板部１と第２挾持板部２の閉状態を保持する。湿布Ａに皺が寄ったり、湿布Ａが斜め方向にならないようにセットする。第２挾持板部２を第１挾持板部１に対して軽く押さえつつ、フィルムＦを湿布Ａから完全に剥離する。
【００２２】
図８に示すように、湿布Ａは、引抜抵抗面６との接触部Ｉより先端側に於て自由状態とされるが、引抜抵抗面６との引抜抵抗によって、湿布貼り具Ｓの傾き角度にかかわらず、第１挾持板部１と第２挾持板部２の間から抜けず、確実に挾持される。
【００２３】
図９に示すように、身体患部Ｘに、押さえ部18にて矢印Ｙ1 方向に湿布Ａを押さえ、位置決めする。湿布Ａと引抜抵抗面６との間の引抜抵抗によって、所望の位置と異なる位置に湿布Ａを押さえてしまった場合、矢印Ｙ2 方向に湿布貼り具Ｓを身体患部Ｘから離間することにより、湿布Ａを身体患部Ｘから剥離し、再度、所望の位置に湿布Ａを押さえ直す（位置決めする）ことができる。このとき、引抜抵抗によって、湿布Ａは、第１挾持板部１と第２挾持板部２の間から抜け落ちない。
【００２４】
その後、図10、図11に示すように、押さえ部18を（湿布Ａを介して）身体患部Ｘに軽く押圧しつつ、湿布貼り具Ｓを、身体患部Ｘに沿って上方向（矢印Ｙ4 、Ｙ5 方向）に移動させる（スライドさせる）。このとき、第２挾持板部２が身体患部Ｘを押圧しないように注意する。湿布貼り具Ｓを上方へスライドさせるに従って、湿布Ａは、引抜抵抗面６を滑りつつ、第１挾持板部１と第２挾持板部２との間から引き抜かれて、身体患部Ｘに貼付される。その際、引抜抵抗を受けつつ湿布Ａが引張られて、皺が生じない。
【００２５】
図12は、湿布貼り具Ｓの他の使用方法を示す。すなわち、湿布Ａを横方向にして第１挾持板部１と第２挾持板部２との間に挾持して使用する。
【００２６】
以上のように、本発明は、基端３に握り部４を有すると共に第１挾持板部１を一体に有する本体５と、本体５の第１挾持板部１に対して揺動開閉自在として基端３側が本体５に枢着Ｊされると共に引抜抵抗面６を有する第２挾持板部２と、を具備し、さらに、第１挾持板部１の先端15を、閉状態の第２挾持板部２の先端16よりも先端方向へ延設すると共に第２挾持板部２の外面17の延長平面Ｅに交叉する方向に弯曲させて、湿布Ａを身体患部Ｘへ押付ける際の押さえ部18に形成したので、患者Ｃが自分自身で手の届きにくい身体患部Ｘ───例えば、背中、肩、腰等───に容易かつ確実に湿布Ａを貼付することができる。また、湿布Ａに皺を寄せることなく綺麗に身体患部Ｘに貼付することができる。また、身体の正面の胸部や腹部、腕、脚等の身体患部Ｘにも、湿布Ａを皺なく綺麗に貼付することができる。
【００２７】
また、第１挾持板部１と第２挾持板部２を、閉状態に保つマグネット11と磁性材12から成るマグネット吸着手段Ｍを有するので、容易に第１挾持板部１と第２挾持板部２を開閉することができる。
【００２８】
また、引抜抵抗面６を、多数のループ状突出子７を有する面状ファスナー８の一面９をもって構成したので、適度な引抜抵抗を得られる。すなわち、湿布Ａを身体患部Ｘに押圧するまでは、湿布Ａは第１挾持板部１と第２挾持板部２の間から抜け落ちたりずれたりせず確実に挾持されるとともに、湿布Ａを身体患部Ｘに貼付するときには、湿布Ａを第１挾持板部１と第２挾持板部２の間から比較的小さな力ですーっと抜ける。さらに、ループ状突出子７には弾力性があるので、種々の異なる厚さＴの湿布Ａに対して使用することができる。
【００２９】
また、第１挾持板部１と、第２挾持板部２とを閉じた閉状態に於て、第２挾持板部２の引抜抵抗面６と第１挾持板部１との間隙寸法Ｇを、引抜抵抗面６の先端縁６ａの対応部位を第１間隙寸法Ｇ1 とし、引抜抵抗面６の中間面部６ｂ及び基端縁６ｃの対応部位を第２間隙寸法Ｇ2 とすると、Ｇ1 ＜Ｇ2 に設定して、相違させたので、適度な引抜抵抗を得られる。すなわち、湿布Ａを身体患部Ｘに押圧するまでは、湿布Ａは第１挾持板部１と第２挾持板部２の間から抜け落ちることなく確実に挾持されるとともに、湿布Ａを身体患部Ｘに貼付するときには、湿布Ａを第１挾持板部１と第２挾持板部２の間から、Ｇ1 ≧Ｇ2 の場合と比較して、小さな力で引き抜くことができる。
【図面の簡単な説明】
【００３０】
【図１】本発明の実施の一形態の使用状態を示す説明図である。
【図２】閉状態を示す正面図である。
【図３】開状態を示す正面図である。
【図４】底面図である。
【図５】要部拡大断面底面図である。
【図６】使用状態を示す説明用正面図である。
【図７】使用状態を示す説明用正面図である。
【図８】使用状態を示す要部拡大断面底面図である。
【図９】使用状態を示す説明図である。
【図１０】使用状態を示す説明図である。
【図１１】使用状態を示す説明図である。
【図１２】他の使用状態を示す正面図である。
【符号の説明】
【００３１】
１  第１挾持板部
２  第２挾持板部
３  基端
４  握り部
５  本体
６  引抜抵抗面
６ａ  先端縁
６ｂ  中間面部
６ｃ  基端縁
７  ループ状突出子
８  面状ファスナー
９  一面
11  マグネット
12  磁性材
15  先端
16  先端
17  外面
18  押さえ部
Ａ  湿布
Ｅ  延長平面
Ｇ  間隙寸法
Ｇ1   第１間隙寸法
Ｇ2   第２間隙寸法
Ｊ  枢着
Ｍ  マグネット吸着手段
Ｘ  身体患部
【図１】
2005074189.tif 000003
【図２】
2005074189.tif 000004
【図３】
2005074189.tif 000005
【図４】
2005074189.tif 000006
【図５】
2005074189.tif 000007
【図６】
2005074189.tif 000008
【図７】
2005074189.tif 000009
【図８】
2005074189.tif 000010
【図９】
2005074189.tif 000011
【図１０】
2005074189.tif 000012
【図１１】
2005074189.tif 000013
【図１２】
2005074189.tif 000014